(57)【特許請求の範囲】
【請求項１】
周壁によって囲まれることにより形成され、洗い場排水が上部の受入口から流入する受入室と、
該受入口に配置されたヘアキャッチャーと、
該周壁に設けられた、浴槽排水を該受入室内に流入させる導入口と、
該導入口に連通した浴槽排水流入流路と、
該周壁の下部に設けられた受入室排出口と、
該受入室排出口に連通した排水トラップ流出口と
を備えた浴槽及び洗い場用の排水トラップにおいて、
前記周壁の一部が着脱可能なプレートによって構成されており、
該プレートに前記導入口が設けられており、
該プレートに摘み部が設けられており、
該摘み部は該導入口よりも下位において前記受入室の周方向に延在していることを特徴とする排水トラップ。
【請求項２】
請求項１において、前記導入口は前記受入室の上部において前記受入室の周方向に延在しており、
前記摘み部は、該導入口の下縁に沿って延在していることを特徴とする排水トラップ。
【請求項３】
請求項１又は２において、前記摘み部に開口又は凹部が設けられていることを特徴とする排水トラップ。
【請求項４】
請求項１ないし３のいずれか１項において、前記導入口は、該受入室内に浴槽排水を接線方向に流入させ、該受入室内に旋回流を形成するように設けられていることを特徴とする排水トラップ。
【請求項５】
請求項１ないし４のいずれか１項において、前記浴槽排水流入流路からの浴槽排水を第１の分岐流路と第２の分岐流路とに分岐させる分岐部材を備えており、
該第１の分岐流路が前記導入口に連通しており、
該第２の分岐流路は前記受入室を迂回するバイパス流路を介して前記排水トラップ流出口に連通していることを特徴とする排水トラップ。
【請求項６】
請求項５において、前記分岐部材と前記プレートとが一体に設けられていることを特徴とする排水トラップ。
【発明の詳細な説明】
【技術分野】
【０００１】
本発明は、浴槽及び洗い場用の排水トラップに係り、特に浴槽排水の少なくとも一部と洗い場排水を受け入れる受入室を有する排水トラップに関する。本発明は、特に、浴槽排水を受入室内に接線方向に流入させて旋回させる排水トラップに好適な排水トラップに関する。
【背景技術】
【０００２】
洗い場排水を受け入れる受入室を有する排水トラップにおいて、該浴槽排水を受入室内に接線方向に流入させて該受入室内に旋回流を形成するよう構成した排水トラップが特許文献１，２に記載されている。このトラップの洗い場排水受入口には、上方が開放したカゴ（篭）状のヘアキャッチャーが着脱自在に装着されている。
【０００３】
浴槽排水がトラップ内に流入し、トラップ内に旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになると共に、ヘアキャッチャーの内外面が旋回流に浸漬されて浄化され、ヌメリ等が除去されるという作用効果が奏される。
【０００４】
特許文献１には、この受入室から浴槽側へ水が逆流することを防止するために、受入室の周壁の浴槽排水導入口にフラップ状の逆止弁を設けることが記載されている。また、特許文献１には、この逆止弁を着脱するときに指で摘むための摘み部を設けることが記載されている。
【０００５】
特許文献２には、受入室を迂回するバイパス流路を設けることが記載されている。
【先行技術文献】
【特許文献】
【０００６】
【特許文献１】特開２００８−８２１１６号公報
【特許文献２】特開２００９−１６７５９０号公報
【発明の概要】
【発明が解決しようとする課題】
【０００７】
上記特許文献１の排水トラップにあっては、逆止弁は、ドア状に開閉するように軸支されており、浴槽排水の水圧によって受入室内にドアが開き出す如く回動するよう構成されている。前記摘み部は該ドア状の逆止弁の内周面に設けられているため、受入室内に流入する浴槽排水をガイドする機能を有していない。
【０００８】
本発明は、受入室内周壁の一部を構成する着脱可能なプレートに浴槽排水導入口と摘み部を設け、この摘み部に、導入口から受入室内に流入する浴槽排水をガイドする機能を具備させた排水トラップを提供することを目的とする。
【課題を解決するための手段】
【０００９】
本発明の排水トラップは、周壁によって囲まれることにより形成され、洗い場排水が上部の受入口から流入する受入室と、該受入口に配置されたヘアキャッチャーと、該周壁に設けられた、浴槽排水を該受入室内に流入させる導入口と、該導入口に連通した浴槽排水流入流路と、該周壁の下部に設けられた受入室排出口と、該受入室排出口に連通した排水トラップ流出口とを備えた浴槽及び洗い場用の排水トラップにおいて、前記周壁の一部が着脱可能なプレートによって構成されており、該プレートに前記導入口が設けられており、該プレートに、摘み部が設けられており、該摘み部は該導入口よりも下位において前記受入室の周方向に延在していることを特徴とするものである。
【００１０】
前記導入口は前記受入室の上部において前記受入室の周方向に延在しており、前記摘み部は、該導入口の下縁に沿って延在していることが好ましい。
【００１１】
前記摘み部に開口又は凹部が設けられてもよい。
【００１２】
前記導入口は、該受入室内に浴槽排水を接線方向に流入させ、該受入室内に旋回流を形成するように設けられていることが好ましい。
【００１３】
本発明の一態様では、前記浴槽排水流入流路からの浴槽排水を第１の分岐流路と第２の分岐流路とに分岐させる分岐部材を備えており、該第１の分岐流路が前記導入口に連通しており、該第２の分岐流路は前記受入室を迂回するバイパス流路を介して前記排水トラップ流出口に連通している。この場合、前記分岐部材と前記プレートとが一体に設けられてもよい。
【発明の効果】
【００１４】
本発明の排水トラップにあっては、受入室を囲む周壁の一部を着脱可能なプレートにて構成し、このプレートに摘み部を設けているので、該摘み部を摘んで該プレートを容易に着脱することができる。なお、プレートを取り外すことにより、プレートの裏側の流路のメンテナンスを行うことができる。
【００１５】
この摘み部は、導入口よりも下側において受入室周方向に延設しているので、導入口から受入室内に流入する浴槽排水を案内することができる。特に、浴槽排水を受入室に接線方向に流入させる場合には、導入口の下縁に沿って摘み部を延在させることにより、導入口から流入した浴槽排水が接線方向に案内され、受入室の上部に強力な旋回流を形成することができる。これにより、ヘアキャッチャー内の毛髪などのゴミがヘアキャッチャーの中心にくるくると効率よく集められる。また、ヘアキャッチャーの内外面が強い旋回流に浸漬されて強力に浄化され、ヌメリ等が除去される。
【００１６】
この摘み部に開口や凹部を設けることにより、摘み部を摘んだときの指先の滑りが防止されるようになる。
【００１７】
浴槽排水の一部を受入室をバイパスさせて排水トラップ流出口に流すように分岐部材及びバイパス流路を設けることにより、トラップを通過する浴槽排水流量を増加させることができる。これにより、浴槽排水を短時間で排出させることができる。また、分岐部材に案内されることにより、受入室に浴槽排水の一部がスムーズに流入するようになる。この場合、分岐部材とプレートとを一体とすることにより、分岐部材もプレートと一緒に容易に着脱することができる。
【図面の簡単な説明】
【００１８】
【図１】実施の形態に係る排水トラップの平面図である。
【図２】図１の排水トラップの長手方向の側面図である。
【図３】図２のIII−III線断面図である。
【図４】図１の排水トラップの断面斜視図である。
【図５】図４と反対方向から見た排水トラップの断面斜視図である。
【図６】実施の形態に係る排水トラップの断面分解斜視図である。
【図７】プレートを装着した状態における図６のVII−VII線断面図である。
【図８】別の実施の形態に係る排水トラップの断面斜視図である。
【図９】異なる実施の形態に用いられるプレートの斜視図である。
【図１０】（ａ）はさらに異なる実施の形態に用いられるプレートの斜視図、（ｂ）は（ａ）のＢ−Ｂ線断面図である。
【図１１】別の実施の形態に係る排水トラップの断面斜視図である。
【図１２】図１１の排水トラップを分解した状態の断面斜視図である。
【図１３】異なる実施の形態に係る排水トラップのプレートの斜視図である。
【発明を実施するための形態】
【００１９】
以下に、図面を参照して本発明の実施の形態について説明する。
【００２０】
＜第１の実施の形態＞
図１〜７は第１の実施の形態を示すものであり、図１，２に示すように、排水トラップ１０の長手方向の略中央の上面には、洗い場からの排水が流入する洗い場排水受入口１１が設けられている。この受入口１１にヘアキャッチャー３７が着脱可能に装着されている。排水トラップ１０の長手方向一端側の上面には、浴槽からの排水が流入する浴槽排水流入口１２が設けられ、その近傍には浴槽排水栓装置を操作するためのレリースワイヤの挿入口１３が設けられている。浴槽排水及び浴槽パン排水は、ダクト部１４を介して本体流入口１６（図３，４等）に流入する。
【００２１】
排水トラップ１０の他端側には、封水室３０（図３，５等）からの水が流出する排水トラップ流出口３１が設けられている。この排水トラップ流出口３１に排水管が接続される。
【００２２】
図３〜７の通り、この排水トラップ１０内には、洗い場排水受入口１１の下側に受入室２０が設けられている。この受入室２０は、円筒状の周壁２１によって囲まれている。周壁２１の一部は上下方向に着脱可能なプレート２１Ｐにて構成されている。
【００２３】
図６，７に明示の通り、プレート２１Ｐは、円筒状周壁２１の一部を上下方向に切り取った形状の円弧状湾曲板よりなり、その両側辺には取付用凸条２１ｂが上下方向に延設されている。周壁２１には、この凸条２１ｂが係合した凹条２１ａが設けられている。プレート２１Ｐは、周壁２１の上方から凸条２１ｂを凹条２１ａに嵌合させるようにして周壁２１に装着される。
【００２４】
プレート２１Ｐの上部に、周方向に延在した導入口２２が設けられている。この導入口２２の下縁に沿って水平に延在する板状の摘み部２３が設けられている。摘み部２３のプレート２１Ｐからの起立高さ（受入室２０の中心に向う高さ）は導入口２２の水平方向両端側において小さく、それらの中間付近において最も大きくなっているが、これに限定されない。
【００２５】
図４に明示の通り、この実施の形態では、受入室２０を迂回して本体流入口１６と排水トラップ流出口３１とを連通するバイパス流路４０が設けられている。このバイパス流路４０は、周壁２１の一部の外側を通って延在している。このバイパス流路４０の流入部には、本体流入口１６に対峙して分岐部材４２が設置されており、本体流入口１６を通過してきた浴槽排水を上下の２つの分岐流路４０ａ，４０ｂに分岐させている。上側の第１の分岐流路４０ａは徐々に上昇して導入口２２に達している。下側の第２の分岐流路４０ｂは、分岐部材４２の下側を通って延在し、バイパス上昇部４０ｃ及び合流口４０ｄを介して排水トラップ流出口３１に合流している。分岐部材４２は、プレート２１Ｐを取り外して受入室２０内から着脱可能となっている。プレート２１Ｐ及び分岐部材４２を取り外すと、バイパス流路４０や流入口１６付近のメンテナンスを行うことができる。
【００２６】
図５，６の通り、周壁２１の排水トラップ流出口３１側にあっては、周壁２１の下端と排水トラップ１０の底面との間に受入室排出口２８が設けられている。周壁２１と排水トラップ流出口３１との間に封水室３０が設けられている。プレート２１Ｐの大きさはこの受入室排出口２８よりも大きいものとなっており、誤ってプレート２１Ｐを受入室２０内に落としてもプレート２１Ｐが封水室３０に流出しないように構成されている。
【００２７】
封水室３０の排水トラップ流出口３１側に堤状部３０ａが設けられている。堤状部３０の頂面のレベルは封水室３０の底面及び排水トラップ流出口３１の底面よりも上位となっており、封水室３０内には堤状部３０ａの頂面レベルにまで封水が溜る。周壁２１の受入室排出口２８はこの封水中に没するように設けられている。
【００２８】
前記合流口４０ｄは、この堤状部３０ａよりも下流側（流出口３１側）に開口している。
【００２９】
なお、周壁２１には封水室３０内を点検するための開口２６が設けられている。この開口２６は、通常はキャップ（図５，６では図示略）にて閉鎖されている。
【００３０】
洗い場排水受入口１１の内周面には雌ネジ（図４〜６参照）が設けられ、トラップ取付フランジ３４（図１，２）が螺着されている。本体側の上面部３５（図２）と該フランジ３４との間で、洗い場排水升の底部のトラップ取付用開口の縁部をパッキンを介して挟持することにより、排水トラップ１０が該排水升に固着される。
【００３１】
このトラップ取付フランジ３４の内周面の凸部（図示略）に係止させてヘアキャッチャー３７が該トラップ取付フランジ３４に内挿状に着脱可能に装着されている。
【００３２】
このように構成された排水トラップ１０においては、洗い場からの排水は、ヘアキャッチャー３７を透過して受入室２０内に流入する。浴槽からの排水は、浴槽排水流入口１２、ダクト部１４、本体流入口１６、分岐流路４０ａ及び導入口２２を通って受入室２０に流入し、受入室２０内を旋回した後、受入室排出口２８、封水室３０及び排水トラップ流出口３１から排水管に流出する。洗い場排水や浴槽排水の流出が停止すると、受入室２０及び封水室３０内には、封水が残り、この封水に受入室排出口２８及びバイパス流路４０が没するので、排水管６の臭気が浴室内及び浴槽に逆流することが防止される。
【００３３】
この実施の形態では、浴槽からの排水は、導入口２２から受入室２０内へ接線方向に流入するため、受入室２０内に旋回流が形成されるようになる。この浴槽排水の流入により受入室２０内の水位が上昇し、ヘアキャッチャー３７が旋回流に浸漬され、ヘアキャッチャー３７内の毛髪などのゴミがヘアキャッチャー３７の中心に集められる。これにより、ゴミを摘んで捨てることができるようになる。また、ヘアキャッチャー３７の内外面が旋回流に浸漬されて浄化され、ヌメリ等が除去される。
【００３４】
この実施の形態では、導入口２２が受入室２０の上部に設けられていると共に、摘み部２３が導入口２２の下縁に沿って周方向に延設されている。そのため、導入口２２から受入室２０内に流入した浴槽排水は、摘み部２３によって旋回方向に案内される。このため、受入室２０内の上部、すなわち、ヘアキャッチャー３７付近に強力な旋回流が形成される。これにより、ヘアキャッチャー３７内のゴミが効率よく中心付近に集められると共に、ヘアキャッチャー３７が強力な旋回流によって洗浄される。なお、浴槽排水の水位が低いときでも受入室２０内の上部における旋回流が十分に強いものとなる。
【００３５】
また、この実施の形態では、図１の通り、ダクト部１４が受入室２０の略接線方向に直線状に延在しているので、浴槽排水が、その水勢をそがれることなく上側の分岐流路４０ａを経て導入口２２から受入室２０内に流入するので、これによっても受入室２０内の旋回流が強力なものとなる。
【００３６】
本体流入口１６から下側の分岐流路４０ｂに分岐した浴槽排水は、バイパス流路４０を経て、排水トラップ流出口３１に流出するようになる。このため、浴槽の水が短時間で排出されるようになる。
【００３７】
バイパス流路４０や分岐部材４２、流入口１６付近等の清掃、点検等を行うときには、ヘアキャッチャー３７を外し、指を受入口１１から受入室２０内に差し込んでプレート２１Ｐの摘み部２３を摘んで該プレート２１Ｐを上方に引き上げて容易に取り外すことができる。取り外したプレート２１Ｐを再装着するときにも、摘み部２３を摘んでプレート２１Ｐの凸条２１ｂを周壁２１の凹条２１ａに容易に係合させ、再装着することができる。
【００３８】
＜第２の実施の形態＞
上記実施の形態では分岐部材４２の先端（上流端）は、本体流入口１６に臨み、また、該本体流入口１６の上下方向の中間付近に位置しているが、図８の分岐部材４２Ａのように、先端４２ｔを流入口１６よりも若干離隔させ、また流入口１６の下縁レベル又はそれ以下にまで低くしてもよい。このようにすると、ダクト部１４から流入する浴槽排水のうち上側の分岐流路４０ａに流入する流量が多くなり、受入室２０内への流入量が多くなる。
【００３９】
図８の実施の形態のその他の構成は図１〜７の実施の形態と同じであり、同一符号は同一部分を示している。
【００４０】
［第３，４の実施の形態］
本発明では、図９又は図１０の実施の形態のように、プレート２１Ｐの摘み部２３に開口や凹部を設けてもよい。図９では、摘み部２３に小孔状の開口２３ａを設けている。図１０では、摘み部２３の外縁から垂下壁２３ｂを垂設し、摘み部２３の下側に凹部２３ｃを設けている。このような開口２３ａや凹部２３ｃを設けると、プレート２１Ｐを着脱するべく指先を摘み部２３に掛けたときに指の滑りが防止される。
【００４１】
［第５の実施の形態］
本発明では、分岐部材４２をプレート２１Ｐと一体化させてもよい。図１１，１２及び図１３はかかる排水トラップの実施の形態を示している。図１１〜１３では、プレート２１Ｐの外周面側に分岐部材４２が一体的に設けられている。このように構成した場合、プレート２１Ｐを着脱した際に併せて分岐部材４２も着脱されるので、バイパス流路等のメンテナンス作業が容易となる。
【００４２】
図１１，１２では摘み部２３に開口２３ａが設けられているが、図１３では垂下壁２３ｂを設けている。なお、開口２３ａや垂下壁２３ｂを省略してもよい。
【００４３】
上記実施の形態はいずれも本発明の一例であり、本発明は図示以外の態様とされてもよい。例えば、本発明では、バイパス流路の流入部を上下に２分岐する代りに本体流入口１６から見て左右に２分岐させ、一方を導入口２２に連通させ、他方を排水トラップ流出口３１への合流口４０ｄに連通させてもよい。
【符号の説明】
【００４４】
１０  排水トラップ
１１  洗い場排水受入口
１２  浴槽排水流入口
１３  浴槽パン排水流入口
１４  ダクト部
１６  本体流入口
２０  受入室
２１  周壁
２１Ｐ  プレート
２２  導入口
２３  摘み部
２３ａ  開口
２３ｂ  垂下壁
２３ｃ  凹部
２８  受入室排出口
３０  封水室
３１  排水トラップ流出口
３４  フランジ
３７  ヘアキャッチャー
４０  バイパス流路
４０ａ，４０ｂ  分岐流路
４２，４２Ａ  分岐用部材
【図１】
0005817567.tif 000002
【図２】
0005817567.tif 000003
【図３】
0005817567.tif 000004
【図４】
0005817567.tif 000005
【図５】
0005817567.tif 000006
【図６】
0005817567.tif 000007
【図７】
0005817567.tif 000008
【図８】
0005817567.tif 000009
【図９】
0005817567.tif 000010
【図１０】
0005817567.tif 000011
【図１１】
0005817567.tif 000012
【図１２】
0005817567.tif 000013
【図１３】
0005817567.tif 000014